(57)【要約】【課題】  ダニの繁殖を抑制するように、相対湿度に応じて除湿する運転時間を変更して制御を行う除湿機を得る。【解決手段】  運転モード切換スイッチ２で、複数ある運転モードの中からダニの幼虫成長要背宇運転モードが選択されると、湿度センサ３と温度センサ４の検出データから相対湿度を演算し、この相対湿度とあらかじめ記憶部６に記憶させておいたダニの幼虫の成長を抑制する相対湿度と維持時間との相関データとを判定部７にて常時判定して、ダニの幼虫の成長を抑制する維持時間を自動設定し、この自動設定された維持時間に基づいて制御部８は除湿運転を制御し、ダニの幼虫に対して一定時間おきに低湿度による乾燥環境を与えるように運転制御する。【選択図】  図１
2006223924.tif 000002
【特許請求の範囲】
【請求項１】
空気の湿度を調節する機能を備えた除湿機において、室内の相対湿度を一定の値以下で一定時間を維持してダニの幼虫の成長を抑制する運転モードを備えたことを特徴とする除湿機。
【請求項２】
前記ダニの幼虫の成長を抑制する運転モードでの運転で、相対湿度が設定湿度まで下がらない場合は、設定湿度を高く変更し、維持時間を延長することを特徴とする請求項１記載の除湿機。
【請求項３】
前記ダニの幼虫の成長を抑制する運転モードでの運転を一定時間ごとに自動で行うことを特徴とする請求項１記載の除湿機。
【発明の詳細な説明】
【技術分野】
【０００１】
本発明は、除湿機に係り、より詳しくは、室内空気の湿度の調節手段として、湿度センサと、除湿運転の制御を行うマイコンを備えた除湿機に関するものである。
【背景技術】
【０００２】
従来の湿度調節機能を備えた除湿機において、カビの成長抑制を目的として、相対湿度に対応し、あらかじめ設定された維持時間を運転する制御部を備えたものがある（例えば、特許文献１参照）。その手段は、相対湿度を検出するセンサと、カビの成長を抑制するのに必要な相対湿度と維持時間との相関データを記憶させた記憶部と、その２つの値を比較判定する判定部をそなえ、１日を１サイクルとして間欠運転を行い、室内のカビの成長を抑制できる機能を備えた構成となっている。
【０００３】
【特許文献１】特開２００１−２３５２１４号広報（第１頁、図１−３）
【発明の開示】
【発明が解決しようとする課題】
【０００４】
上記のように構成された従来の運転制御では、カビの成長抑制を目的として最適な湿度調節を行うため、ダニの繁殖抑制に対しては十分な効果が得られないという問題がある。図３に、相対湿度及び経過時間と、ふ化直後のヤケヒョウヒダニの生存率との相関を表す実験データを示す。この結果によると、ふ化直後のヤケヒョウヒダニを１００％死滅させるには、相対湿度５０％を１２時間維持すると死亡率が１００％に達することがわかる。しかし、ダニは、ふ化直後の数時間の表皮がやわらかい期間を除き、卵、表皮が固まったダニの幼虫、成虫は、乾燥に対して非常に強く、一般的な除湿機で調節できる下限である相対湿度３５％程度では、ダニの卵、幼虫及び成虫の成長に与える影響は非常に小さく、繁殖を抑制することは困難である。よって、従来の除湿機を用いた除湿運転では、ダニの繁殖抑制を目的として効率的な運転を行うことが困難であった。
【０００５】
本発明は、上記のような課題を解決するためになされたもので、ダニの生存率を低下させる相対湿度条件とその維持時間条件を設定し、ダニの幼虫の成長を抑制する除湿機を得ることを目的とする。
【課題を解決するための手段】
【０００６】
本発明に係る除湿機は、相対湿度に対応してあらかじめ設定された維持時間を運転した後、運転を停止する運転モードを備えることで、室内に存在するダニの特にふ化直後の幼虫を低湿度環境にさらして乾燥により死滅させ、ダニの繁殖を抑制するようにしたものである。
【０００７】
また、本発明に係る除湿機は、部屋の湿度を検出する湿度センサと、部屋の温度を検出する温度センサと、湿度センサのデータと温度センサのデータから相対湿度を求める湿度演算部と、ダニの成長を抑制するのに必要な相対湿度と維持時間との相関データを記憶させた記憶部と、前記湿度演算部で求めた相対湿度と記憶部に記憶された相対湿度に基づいてダニの成長を抑制するのに必要な維持時間が得られるような除湿運転を制御する制御部とを備え、前記制御部は、ある設定時間を１サイクルとして繰り返し除湿運転を行い、相対湿度に対応してあらかじめ設定された維持時間を運転した後、運転を停止することにより、安定してかつ効率よくダニの幼虫の成長を抑制するるようにしたものである。
【発明の効果】
【０００８】
本発明に係る除湿機によれば、ダニの幼虫の成長を抑制する相対湿度を一定時間保つようにして運転した後は運転を停止するので、短い除湿運転時間で、ダニの繁殖の抑制を安定して行うことができ、省エネが図れ、電気代を節約でき、また、ダニの繁殖による影響を受けない快適な空間や生活を得ることができる除湿機を提供することができる。
【発明を実施するための最良の形態】
【０００９】
実施の形態１．
図１は本発明の実施の形態１に係る除湿機の制御ブロック図である。
図２は本発明の実施の形態１で記憶部に記憶したダニの幼虫の成長を抑制する相対湿度と運転時間の相関関係を示す説明図である。
【００１０】
図１において、１は除湿機をオンオフするための運転スイッチ、２は除湿機の複数ある運転モードを適宜切り換えるための運転モード切換スイッチ、３は室内の湿度を検出する湿度センサ、４は室内の温度を検出する温度センサ、５は検出した湿度センサ３のデータと温度センサ４のデータから相対湿度を演算する湿度演算部、６はダニの幼虫の成長を抑制する相対湿度とその維持時間との相関データを記憶している記憶部、７は前記温度センサ３と前記湿度センサ４が検出した現在の相対湿度と記憶部６に記憶されているダニの幼虫の成長を抑制する相対湿度と常時比較判定を行う判定部、８は複数ある運転モードの中から前記運転モード切換スイッチ２で選択された運転モードに従って除湿運転を制御する制御部である。９は前記湿度演算部５、記憶部６、判定部７、制御部８を構成するマイクロコンピュータである。
【００１１】
１０はコンプレッサー、送風ファンなどの負荷部、１１はこの除湿機の運転中に必要な表示を行う表示部、１２は同じく除湿機の運転中に必要に応じて警報を発する警報部である。
【００１２】
次に、上記実施の形態１の動作について説明する。
まず、運転スイッチ１をオンして電源が印加され、運転モード切換スイッチ２で複数ある運転モードの中からダニの幼虫成長抑制運転モードが選択されると、湿度センサ３が室内の湿度を検出して、また温度センサ４室内の温度を検出して、検出された湿度センサ３のデータ及び温度センサ４のデータがそれぞれマイクロコンピュータ９の湿度演算部５に入力されて相対湿度を演算する。判定部７は湿度演算部５で演算された現在の相対湿度と記憶部６にあらかじめ記憶されているダニの幼虫の成長を抑制する相対湿度と比較判定し、ダニの幼虫の成長を抑制するのに必要な維持時間の情報を制御部７に設定する。
【００１３】
この情報をもとに制御部８はダニの幼虫の成長を抑制する相対湿度を必要な時間だけ保つように、コンプレッサーや送風ファンなどの負荷部１０駆動させて除湿運転を開始し、空気中の湿気を機内へ取り込んで除湿する。具体的には、この実施の形態１では図２に示すように、１日を１サイクルとした場合、相対湿度が４０％以下になった場合には維持時間を１日をのうち３時間、相対湿度が５０％以下になった場合には維持時間を１日のうち６時間、相対湿度が５１％以上にしかならなかった場合には除湿運転を連続とするダニの幼虫の成長を抑制する相対湿度と維持時間との相関データが記憶部５に記憶させてある。
【００１４】
また、除湿運転が開始された後は、常時、前記湿度センサ３と前記温度センサ４で現在湿度と現在温度が検出されて湿度演算部５に入力され、湿度演算部５で演算された現在相対湿度と記憶部６に記憶したダニの幼虫の成長を抑制する相対湿度よりも高いか低いかどうかが判定部７で比較判定される。この判定部７の判定結果や現在相対湿度等のデータが表示部１１で適宜表示される。また、前記設定相対湿度よりも所定値以上高い場合には、警報部１２が適宜警報を発する。
【００１５】
なお、上記実施の形態１では、記憶部６に記憶しておくダニの幼虫の成長を抑制する相対湿度と維持時間の相関データを４０％以下、５０％以下、５１％以上の三対としたが、相関データの数はもっと増やしてもよく、またそれぞれの相対湿度に対応した維持時間も実施の形態１のものに限定されるものではない。
【００１６】
また、前記制御部８は、ダニの幼虫成長抑制運転で、相対湿度が設定湿度まで下がらない場合は、設定湿度を高く変更し、維持時間を延長するように制御してもよい。
【００１７】
さらに、前記制御部８は、ダニの幼虫成長抑制運転を一定時間ごとに自動で行うように制御してもよい。
【００１８】
以上のように、本発明によれば、例えば１日を１サイクルとして、ダニの幼虫の成長を抑制する相対湿度を一定時間保つようにして運転した後は運転を停止するという制御を日々繰り返すように制御するので、短い除湿運転時間で、ダニの繁殖の抑制を安定して行うことができ、省エネが図れ、電気代を節約でき、また、ダニの繁殖による影響を受けない快適な空間や生活を得ることができる空調樹器を提供することができる。
【００１９】
また、一定時間の低湿度運転を行ったあとの運転停止時にも、湿度が異常に上昇するというような場合には、ある上限湿度を設定しておくことにより、上限湿度以上にならないよう除湿運転を再開させて相対湿度を制御することによって、よりよくダニの繁殖を防ぐことができる。
【図面の簡単な説明】
【００２０】
【図１】本発明の実施の形態１を示す除湿機の制御ブロック図である。
【図２】本発明の実施の形態１におけるダニの幼虫の成長を抑制する相対湿度と維持時間との関係を示す説明図である
【図３】相対湿度と維持時間の関係によるダニの幼虫の生存状況を示す実験データである。
【符号の説明】
【００２１】
１  運転スイッチ
２  運転モード切換スイッチ
３  湿度センサ
４  温度センサ
５  湿度演算部
６  記憶部
７  判定部
８  制御部
９  マイクロコンピュータ
１０  負荷部
１１  表示部
１２  警報部
【図１】
2006223924.tif 000003
【図２】
2006223924.tif 000004
【図３】
2006223924.tif 000005